(57)【要約】【課題】装置の異常の有無を容易かつ確実に把握でき、安価でより信頼性の高い動作監視機能を備えた電力用開閉装置を提供する。【解決手段】センサ付きＩＣタグによる動作監視機能を備えた電力用開閉装置１Ａは、開閉動作を行う開閉部を有する装置本体部と、前記開閉部と機械的に連結され、その動作によって前記開閉部を開閉操作する開閉操作部を有する操作機構と、前記開閉操作部の動作を監視し、外部機器と無線で通信可能な動作監視部３Ａとを備え、動作監視部３Ａは、前記開閉操作部の一部に取り付けられるセンサ付きＩＣタグ１８と、このセンサ付きＩＣタグ１８を含む開閉操作部の少なくとも一部を包囲する監視ケース１７とを備える。【選択図】  図１
2008104260.tif 000002
【特許請求の範囲】
【請求項１】
開閉動作を行う開閉部を有する装置本体部と、
前記開閉部と機械的に連結され、その動作によって前記開閉部を開閉操作する開閉操作部を有する操作機構と、
前記開閉操作部の動作を監視し、外部機器と無線で通信可能な動作監視部とを備え、
前記動作監視部は、前記開閉操作部の一部に取り付けられたセンサ付きＩＣタグと、このセンサ付きＩＣタグを含む開閉操作部の少なくとも一部を包囲するケースとを備えたことを特徴とするセンサ付きＩＣタグによる動作監視機能を備えた電力用開閉装置。
【請求項２】
前記センサ付きＩＣタグは、前記センサ付きＩＣタグのセンサが取得した測定結果を記録する記憶媒体を備えることを特徴とする請求項１記載のセンサ付きＩＣタグによる動作監視機能を備えた電力用開閉装置。
【請求項３】
前記センサ付きＩＣタグのセンサは、歪み検出機能を持つ歪センサであることを特徴とする請求項１または２記載のセンサ付きＩＣタグによる動作監視機能を備えた電力用開閉装置。
【請求項４】
前記歪みセンサは、前記センサ付きＩＣタグのアンテナの抵抗値を測定した結果に基づいて前記開閉操作部の歪み量を検知することを特徴とする請求項３記載のセンサ付きＩＣタグによる動作監視機能を備えた電力用開閉装置。
【請求項５】
前記センサ付きＩＣタグは、前記センサ付きＩＣタグを動作させる電力を供給するバッテリーを有し、このバッテリーを外部から無線により充電する充電機能を持つことを特徴とする請求項１及至４記載のセンサ付きＩＣタグによる動作監視機能を備えた電力用開閉装置。
【請求項６】
前記センサ付きＩＣタグは、自己のアンテナを、磁界センサとして利用することを特徴とする請求項１乃至５記載のセンサ付きＩＣタグによる動作監視機能を備えた電力用開閉装置。
【請求項７】
前記動作監視部のケースに磁石を備え、この磁石は、前記開閉操作部の操作による移動の際に前記センサ付きＩＣタグの近傍を通過するように配置されたことを特徴とする請求項１乃至６記載のセンサ付きＩＣタグによる動作監視機能を備えた電力用開閉装置。
【請求項８】
前記磁石は、Ｎ極とＳ極の極性が交互に細かいピッチで構成されることを特徴とする請求項７記載のセンサ付きＩＣタグによる動作監視機能を備えた電力用開閉装置。
【発明の詳細な説明】
【技術分野】
【０００１】
本発明は、ガス絶縁開閉装置などの電力用開閉装置に係り、特に、開閉動作状態を検出し監視することを目的としたセンサ付きＩＣタグによる動作監視機能を備えた電力用開閉装置に関する。
【背景技術】
【０００２】
一般に、電力用開閉器として用いられている遮断器は、その遮断部の開閉動作状態を表示したり、開閉動作時間を測定するために、その操作機構部に補助開閉器が設けられている。この補助開閉器は、遮断器の操作機構の開閉動作に連動して開閉するａ接点およびｂ接点を備えたものである。
【０００３】
しかし、この補助開閉器は、機械的接点のａ接点およびｂ接点が動作源であるため、遮断器の累積開閉動作回数の増大に伴う接点の摩耗、異物の付着などによって動作が不安定になることがあった。
【０００４】
そこで、最近では、従来の補助開閉器に代って、遮断器の開閉動作状態を検出する無接点近接タイプのセンサが用いられるようになっている。このタイプのセンサとしては、例えば、高周波発振を利用したセンサがある。
【０００５】
図８は、高周波発振を利用したセンサを有する従来の動作監視機能を備えた電力開閉器の一例（パッファ形ガス遮断器１００）を示した縦断面図である。
【０００６】
図８に示されるように、従来のパッファ形ガス遮断器１００は、例えば、ＳＦ６ガス等の絶縁ガスを封入した密閉ケース１０２内に、開閉部としての固定電極１０３および可動電極１０４を相対的に動作可能に配置し、可動電極１０４側にパッファ機構１０５を付属的に形成した装置本体部を有する。そして、両電極１０３，１０４の開閉動作時に、両電極１０３，１０４の間に発生するアークに対して、パッファ機構１０５で圧縮された絶縁ガスを吹き付け、消弧するように構成されている。
【０００７】
パッファ形ガス遮断器１００の可動電極１０４の開閉動作は、開閉操作部としての絶縁ロッド１０６および操作ロッド１０７を介して連結された操作機構１０８の操作ピストン１０９の上下動作によって行われる。すなわち、この操作機構１０８の操作ピストン１０９は、アキュムレータ１１０および油ポンプ１１１を有する油圧系の引外用弁１１２の開放によって下方へ移動して可動電極１０４を固定電極１０３から引き外し、また、投入用弁１１３の開放によって上方へ移動して可動電極１０４を固定電極１０３に投入するように構成されている。
【０００８】
そして、このパッファ形ガス遮断器１００において、開閉動作状態を検出するための動作監視装置１１４は、操作機構１０８に設けられている。この動作監視装置１１４は、操作ロッド１０７の一部を包囲する監視ケース１１５と、操作ロッド１０７の監視ケース１１５内で移動する部分に固定的に設けられた位置検出体１１６と、監視ケース１１５の壁面を貫通する形で位置検出体１１６に対向して設けられた２個のセンサ１１７ａ，１１７ｂと、監視ケース１１５の外面に固定されてこれらのセンサ１１７ａ，１１７ｂを取り付けたセンサ取付板１１８とを有する。この場合、位置検出体１１６は、例えば、操作ロッド１０７と操作ピストン１０９のピストンロッドとを連結する金属フランジによって構成される。
【０００９】
また、２個のセンサ１１７ａ，１１７ｂは、高周波発振を利用して位置検出体１１６の位置を検出する位置検出機能を有する。すなわち、この２個の高周波発振利用のセンサ１１７ａ、１１７ｂは、接近に感応する発振コイルに、検出物である金属が接近すると、センサ回路の自己インダクタンスの変化および損失の変化で発振が停止することを利用したものであり、位置検出体１１６の接近に感応して、その位置を検出するように構成されている。これらのセンサ１１７ａ，１１７ｂは、パッファ形ガス遮断器１００の可動電極１０４とこれに連結された操作ロッド１０７が開状態および閉状態にある場合に、操作ロッド１０７に設けられた位置検出体１１６の開位置および閉位置を検出してそれぞれ開位置信号および閉位置信号を発するようになっている。
【００１０】
尚、これらのセンサ１１７ａ，１１７ｂの出力は、通常、ツイストペア線などのケーブル１１９ａ，１１９ｂを介して、図示していない中継盤に収納されたセンサ受信器や計測部などに伝送されるようになっている。
【００１１】
前記のような従来の電力用開閉装置の動作監視装置のセンサ１１７ａ，１１７ｂからの出力信号は、開位置信号および閉位置信号である。この開閉状態のどちらかを外部より表示するためには非常に有効である。一方、その動作途中の状態を観測して、開閉器の診断する場合には、開状態から閉状態に変化する時間、または、閉状態から開状態に変化する時間しか対象にならない。この時間だけの測定は、開閉動作のばらつきが含まれるために、その時だけの開閉動作にかかる時間だけでは診断できず、複数回の開閉動作にかかる時間のトレンドをみる必要がある。
【００１２】
このトレンドを測定するため、この開閉動作の時間だけでなく、動作の経過時間と位置の関係（ストローク曲線）を測定すれば、動作の途中での停滞などの問題があってもすぐに判定できる。しかし、このストローク曲線を測定するためには、操作ロッド１０７の近傍に巻線または、抵抗体などを配置して、電圧を加えておき、電圧と位置の相関関係を決定する必要がある。このようにすれば、操作ロッド１０７に前記、巻線または抵抗体と接触するように電極を取り付け、この操作ロッド１０７に取り付けた電極から測定される電圧（位置）と時間との関係がストローク曲線として観測される。しかるに、このストローク曲線を測定するには、通常の状態に、電圧を印加した巻線または、抵抗体を配置して、操作ロッド１０７に電極を調整して配線を取り付けなければならず、非常に手間がかかる上に、開閉装置に比べて信頼性が低いために、取り付けたままにできない欠点があった。このため、工場試験や、フィールドでも数年に１回の定期点検でしか通常は実施ができない。
【００１３】
この問題を解決するため、超音波センサを使用し、位置検出体の移動距離に応じた出力を送信するように構成することで、送信された出力から電力用開閉装置の動作状態とセンサ自体の動作状態を容易かつ確実に把握でき、かつ、信頼性向上を図った電力用開閉装置を提供することができる。このように構成される電力用開閉装置は、例えば、特開平７−２８８０６８号公報に開示され、センサの自己監視機能を有し、高周波を使用するタイプよりも信頼性が高い。
【特許文献１】特開平７−２８８０６８号公報
【発明の開示】
【発明が解決しようとする課題】
【００１４】
しかしながら、高周波または超音波を使用した従来の装置および方法では、センサからの信号を有線で外部の記憶装置まで伝達する必要があり、この配線作業が煩雑であるだけでなく、開閉操作回数の少ない開閉装置にも高価な装置を取り付ける必要があり、経済的（安価）ではなかった。
【００１５】
本発明は、以上のような従来技術の課題を解決するために提案されたものであり、その目的は、開閉動作を操作ロッドなどの動作状態を時間情報も含めて測定し、異常の有無を容易かつ確実に判別でき、かつ、安価でより信頼性の高い動作監視機能を備えた電力用開閉装置を提供することである。
【課題を解決するための手段】
【００１６】
本発明に係るセンサ付きＩＣタグによる動作監視機能を備えた電力用開閉装置は、上述した課題を解決するため、開閉動作を行う開閉部を有する装置本体部と、前記開閉部と機械的に連結され、その動作によって前記開閉部を開閉操作する開閉操作部を有する操作機構と、前記開閉操作部の動作を監視し、外部機器と無線で通信可能な動作監視部とを備え、前記動作監視部は、前記開閉操作部の一部に取り付けられるセンサ付きＩＣタグと、このセンサ付きＩＣタグを含む開閉操作部の少なくとも一部を包囲するケースとを備えたことを特徴とする。
【発明の効果】
【００１７】
本発明によれば、歪センサ付きＩＣタグを開閉動作用の操作ロッドに取り付け、操作ロッドに生じる歪みの検出結果および時間を記憶装置に記憶すると共にＩＣタグリーダへ記憶した情報（検出結果および時間）を送信するように構成したことで、電力用開閉装置の動作状態を容易かつ確実に把握することができ、より信頼性の高い電力用開閉装置を提供することができる。
【発明を実施するための最良の形態】
【００１８】
以下、本発明に係るセンサ付きＩＣタグによる動作監視機能を備えた電力用開閉装置を実施するための最良の形態（実施形態）について、添付の図面を参照して説明する。尚、以下の説明では、センサ付きＩＣタグによる動作監視機能を備えた電力用開閉装置の電力用開閉装置がパッファ形ガス遮断器の場合を例に説明する。
【００１９】
［第１の実施の形態］
図１は、本発明の第１の実施の形態に係るセンサ付きＩＣタグによる動作監視機能を備えた電力用開閉装置の一例であるセンサ付きＩＣタグによる動作監視機能を備えたパッファ形ガス遮断器（以下、単に遮断器と省略する）１Ａの構成を示した縦断面図である。
【００２０】
図１に示されるように、遮断器１Ａは、操作ロッド２の動作状態を監視する動作監視機能を有する動作監視部３Ａを備える。尚、遮断動作を行う上で必要な構成は図８に示される従来のパッファ形遮断器１００と同様である。
【００２１】
すなわち、遮断器１Ａは、例えば、ＳＦ６ガス等の絶縁ガスを封入した密閉ケース５内に、開閉部としての固定電極６および可動電極７を相対的に動作可能に配置し、可動電極７側にパッファ機構８を付属的に形成した装置本体部と、開閉操作部としての絶縁ロッド９および操作ロッド２を介して連結された操作機構１１とを備える。
【００２２】
遮断器１Ａの可動電極７の開閉動作は、絶縁ロッド９および操作ロッド２を介して連結された操作機構１１の操作ピストン１２の上下動作によって行われる。すなわち、この操作機構１１の操作ピストン１２は、アキュムレータ１３および油ポンプ１４を有する油圧系の引外用弁（遮断用弁）１５の開放によって下方へ移動して可動電極７を固定電極６から引き外し、また、投入用弁１６の開放によって上方へ移動して可動電極７を固定電極６に投入するように構成されている。遮断器１Ａは、両電極６，７の開閉動作時に、両電極６，７の間に発生するアークに対して、パッファ機構８で圧縮された絶縁ガスを吹き付け、消弧する。
【００２３】
遮断器１Ａにおいて、開閉動作状態を検出する動作監視部３Ａは、操作機構１１に設けられる。動作監視部３Ａは、操作ロッド２の一部を包囲する監視ケース１７と、歪検出機能を有する歪センサ付きのセンサ付きＩＣタグ（以下、歪センサ付きＩＣタグとする。）１８と、磁界誘起用の磁石１９ａ，１９ｂとを有する。
【００２４】
図２は、本発明の第１の実施の形態に係るセンサ付きＩＣタグによる動作監視機能を備えた電力用開閉装置の一例である遮断器１Ａの動作監視部３Ａの構成を拡大して示した概略図である。
【００２５】
図２に示されるように、操作ロッド２には遮断器１Ａの動作時に外れないように歪センサ付きＩＣタグ１８が着脱可能に取り付けられる。操作ロッド２の一部を包囲する監視ケース１７の壁面には、操作ロッド２の動作方向と直交する方向に磁界を誘起する磁石１９ａ，１９ｂが取り付けられる。
【００２６】
磁石１９ａは遮断器１Ａの投入時の歪センサ付きＩＣタグ１８と対向する位置に配置され、磁石１９ｂは遮断器１Ａの遮断時の歪センサ付きＩＣタグ１８と対向する位置に配置される。また、磁石１９ａ，１９ｂを監視ケース１７の壁面に固定するため監視ケース１７の外面には磁石取付板２０が固定される。
【００２７】
続いて、図２に示されるような動作監視部３Ａを備える遮断器１Ａの動作概要を説明する。
【００２８】
遮断器１Ａの開閉動作により力が加わりながら操作ロッド２が上下に摺動すると、磁石１９ａ，１９ｂの磁界との鎖交し、操作ロッド２に取り付けられている歪センサ付きＩＣタグ１８のアンテナ部分に電力が発生する。すなわち、歪センサ付きＩＣタグ１８のアンテナ部分が磁界センサとして機能する。
【００２９】
歪センサ付きＩＣタグ１８のアンテナ部分の電力発生をトリガとして、歪センサ付きＩＣタグ１８は、この歪センサ付きＩＣタグ１８の歪センサから取得したデータを時間と一緒に記憶する。歪センサ付きＩＣタグ１８に記憶されたデータは、後述する図３に示されるＩＣタグリーダ２５から読み出して取得することができる。
【００３０】
図３は、本発明に係る電力用開閉装置のセンサ付きＩＣタグ１８およびこのセンサ付きＩＣタグ１８と無線通信を行いセンサ付きＩＣタグ１８から情報を読み出すＩＣタグリーダ２５の構成概略を示した概略図である。尚、図３において、センサ付きＩＣタグ１８およびＩＣタグリーダ２５内に示される実線は情報の流れを、破線はエネルギーの流れを表している。
【００３１】
図３に示されるように、センサ付きＩＣタグ１８は、ＩＣタグリーダ２５と通信する信号や情報（以下、単に通信信号とする）３０を含む電磁波を送受信するアンテナ３１と、アンテナ３１を介して受信した電磁波に対して変調および復調を行う変復調部３２と、センサの一例として歪量を検知し取得する歪センサ３３と、歪センサ３３で取得した情報を記憶するメモリ３４と、タイマーを内蔵する時計３５と、動作電力の供給を行う電源部３６と、電源部３６へ電力を供給するバッテリー３７と、センサ付きＩＣタグ１８を制御する制御部３８とを備える。
【００３２】
変復調部３２は、送受信される信号３０に対して、記録、送信等に適した変換を行う機能（変調機能および復調機能）を有すると共に通信信号３０のフィルタ機能を有し、通信信号３０に重畳する部分放電等によるノイズ成分を除去することができる。歪センサ３３は、アンテナ３１の抵抗値を測定した結果に基づいて開閉操作部としての操作ロッド２の歪み量を検知する。メモリ３４は、例えば、不揮発性のメモリで構成される記憶媒体である。制御部３８は、例えば、メモリ３４の情報記憶手順に関する情報等の制御に必要な情報を有し演算処理を行う。
【００３３】
尚、センサ付きＩＣタグ１８は、一例として、バッテリー３７を内蔵したアクティブタイプのものを採用している。従って、バッテリー３７が消耗する前に定期的にセンサ付きＩＣタグ１８そのものを交換することを前提としており、通常は、ＩＣタグリーダ２５から読出信号３４を受信しないと、測定結果などの情報を発信しないように構成される。
【００３４】
一方、ＩＣタグリーダ２５は、センサ付きＩＣタグ１８との通信信号３０を送受信するアンテナ４０と、アンテナ４０を介して受信した電磁波の変調および復調を行う変復調部４１と、動作電力の供給を行う電源部４２と、ＩＣタグリーダ２５の制御を行う制御部４３とを備える。
【００３５】
尚、センサ付きＩＣタグ１８およびＩＣタグリーダ２５は、電磁波に周波数変調またはデジタル変調を行い、データ読み出し開始指令信号等の各種信号および測定結果を送受信している。これは、部分放電等によるノイズと必要な信号または情報との区別を容易するためである。
【００３６】
また、ＩＣタグリーダ２５のアンテナ４０、変復調部４１、電源部４２、および、制御部４３は、それぞれ、センサ付きＩＣタグ１８のアンテナ３１、変復調部３２、電源部３６、および、制御部３８と実質的に同じ動作をする構成要素である。
【００３７】
ＩＣタグリーダ２５は、読出信号３０をセンサ付きＩＣタグ１８へ伝送することで、センサ付きＩＣタグ１８と無線通信してセンサ付きＩＣタグ１８から情報を読み出すことができる。ＩＣタグリーダ２５がセンサ付きＩＣタグ１８から受け取った測定データは、ケーブルまたは可搬型記憶メモリを介して、コンピュータ等の上位装置４５へ入力される。
【００３８】
図４は、センサ付きＩＣタグ１８のメモリ３４に記憶される情報構成の一例を説明する説明図である。
【００３９】
メモリ３４に記憶される情報の一例は、図４に示されるように、データ最大容量、保持データ数、前回データ消去日時、シリアルナンバー（Ｎｏ．）、データ記憶領域数（例えば、１０２４領域）、および、ＩＣタグの識別情報（ＩＣタグのＩＤ番号）の情報を有する。
【００４０】
図１に示される動作監視部３Ａが有する歪センサ付きＩＣタグ１８のメモリ３４の場合、歪センサとシリアルナンバーの一つを対応させて、この一のシリアルナンバーと対応する一のデータ記憶領域に歪み量の測定結果を測定時刻と対応させて記憶する。図４に示されるメモリ３４の場合、一つのデータ記憶領域に１０２４個の計測結果を記憶することができるので、１０２４領域あるデータ記憶領域を全て使用すれば、１０２４領域×１０２４個のデータを記憶できる。
【００４１】
次に、本発明の第１の実施の形態に係るセンサ付きＩＣタグによる動作監視機能を備えた電力用開閉装置の作用について遮断器１Ａを例に挙げて説明する。
【００４２】
まず、遮断器１Ａの開閉動作の際に、歪センサ付きＩＣタグ１８が、時間と操作ロッド２に発生する歪みを歪センサ３３で検出し、歪み量の情報を取得する。
【００４３】
歪センサ付きＩＣタグ１８では、図３に示されるように、制御部３８が、時計３５に内蔵されるタイマーの働きで一定時間毎に歪センサ３３から検知した歪み量の情報を、時間情報（例えば、時刻）と一緒にメモリ３４に記憶する。従って、メモリ３４には時間経過に対する歪み量の推移が記憶される。
【００４４】
ここで、メモリ３４に測定結果を記憶していった結果、新たに取得した歪み量の情報を記憶するとメモリ容量を超えてしまう場合、事前に定めた所定のルールに従って制御部３８がメモリ３４に歪み量の情報を記憶するように制御する。例えば、歪み量の測定結果が１０２４個（最大数）記憶されている場合、制御部３８は、歪み量の測定結果のデータを記憶しているデータ記憶領域において最古の歪み量測定結果を消去して新しい歪み量の測定結果を記憶する。
【００４５】
図４に示される例のように、ＩＣタグの識別情報（ＩＣタグのＩＤ番号）がメモリ３４に記憶されている場合、ＩＣタグの識別情報またはＩＣタグリーダ２５の識別情報の１つまたは両方が一致したことを条件として、ＩＣタグリーダ２５は、メモリ３４に記憶された歪み量（測定結果の情報）の読み出しを許可する。
【００４６】
つまり、ＩＣタグリーダ２５が、遮断器１Ａの外部から高周波信号（通信信号）３０を電磁波により歪センサ付きＩＣタグ１８に与えると、ＩＣタグリーダ２５との情報授受が可能となる。このように、遠方から通信信号３０を送信する遠隔操作によって、歪センサ付きＩＣタグ１８が取得した歪み量の測定結果の情報を取得することができるので、ユーザは、遮断器１Ａの状態を変化させること無く測定・監視を行うことができる。
【００４７】
遮断器１Ａ（本発明の第１の実施の形態に係るセンサ付きＩＣタグによる動作監視機能を備えた電力用開閉装置）によれば、開閉動作における操作ロッド２の動作を監視する際に、操作ロッド２の動きにより発生した磁束の変化が歪センサ付きＩＣタグ１８の起動の引き金（トリガ）となり、操作ロッド２の動きにより生じた歪を歪センサ付きＩＣタグ１８のメモリ３４に記録することができる。従って、連続検出を行うにあたり特別な電源を要すること無く、開閉動作のトレンドを記録することができる。
【００４８】
また、ＩＣタグリーダ２５から歪センサ付きＩＣタグ１８に照射されるデータ通信用の電磁波に時間情報を重畳させたものを、アンテナ３１を介して歪センサ付きＩＣタグ１８に受信させれば、電磁波に重畳された時間情報をアンテナ３１および変復調部３２を介して制御部３８が取得し、取得した時間情報に基づき時計３５の校正信号を生成して時間を校正することできるので、ＩＣタグリーダ２５で電磁波を送信して情報の読み書きをする度に時計３５の時間を校正できる。
【００４９】
読み取り時のＩＣタグリーダ２５からＩＣタグ１８への開始指令信号、およびＩＣタグ４０からＩＣタグリーダ２５へのデータ送信は、電磁波に周波数変調またはデジタル変調を施していることで、部分放電等によるノイズと、ＩＣタグリーダ２５との読み出し・書き込みを容易に区別することができる。
【００５０】
［第２の実施の形態］
本発明の第２の実施の形態に係るセンサ付きＩＣタグによる動作監視機能を備えた電力用開閉装置の一例である歪センサ付きＩＣタグによる動作監視機能を備えた遮断器１Ｂは、遮断器１Ａに対して、動作監視部３Ａの代わりに動作監視部３Ｂを備える点で相違するが、その他の点については実質的に相違しない。そこで、第２の実施の形態の説明では、遮断器１Ａと同じ構成要素には同じ符号を付して説明を省略する。
【００５１】
図５は、本発明の第２の実施の形態に係るセンサ付きＩＣタグによる動作監視機能を備えた電力用開閉装置の一例である遮断器１Ｂの動作監視部３Ｂの構成を拡大して示した概略図である。
【００５２】
動作監視部３Ｂは、磁石１９ａ，１９ｂの代わりに磁石５１を有する点で動作監視装置３Ａと相違するが、その他の点は実質的に相違しない。すなわち、動作監視装置３Ｂは、監視ケース１７と、歪センサ付きＩＣタグ１８と、磁石５１とを有する。尚、図３に示される動作監視部３Ｂでは、磁石５１が磁石取付板２０に取り付けられた磁石取付台５２を介して取り付けられているが、図２に示される動作監視部３Ａの磁石１９ａ，１９ｂと同様に磁石取付板２０に直接取り付けても構わない。
【００５３】
図６は、動作監視部３Ｂが有する磁石５１の構成を説明した説明図である。
【００５４】
図６に示されるように、磁石５１は、Ｎ極とＳ極の極性が交互に細かいピッチで構成されている。このように構成された磁石５１を用いた場合、遮断器１Ｂの開閉操作をすると、歪センサ付きＩＣタグ１８のアンテナ３１は、磁石５１の細かいピッチに対応して磁束と鎖交を繰り返す。
【００５５】
この結果、発生する交流の電圧周波数が移動距離に相当し１サイクルの時間が速さになる。従って、歪センサ３３の出力だけではなく、アンテナ３１から入ってくる出力を用いて開閉器のストロークを計算できるようになるので、さらに細かな診断が可能となる。尚、遮断器１Ｂについてのその他の作用および効果については上述した遮断器１Ａと同様である。
【００５６】
上述したように、本発明に係るセンサ付きＩＣタグによる動作監視機能を備えた電力用開閉装置によれば、電力用開閉装置に歪センサ付きＩＣタグ１８を取り付けることで、開閉動作により発生する歪みを容易かつ確実に検出することができる。そして、歪センサ付きＩＣタグ１８の検出データを、歪センサ付きＩＣタグ１８のアンテナ３１から無線電波（通信信号）３０でＩＣタグリーダ２５に容易に送ることができる。従って、測定された結果のトレンドを比較することで開閉装置の動作異常を定期点検時に発見することができ、診断を容易にするだけでなく、常時監視を実現できる。
【００５７】
また、メモリ３４に記憶された情報は、ＩＣタグリーダ２５から読出信号３０を送信することで、今までに記録した開閉動作時のデータを読み出すことができるので、開閉動作の時間と加わる応力との関係を知ることができ、開閉動作毎の比較が可能になる。この結果、開閉動作の時間と加わる応力との関係の変化が急に出てきたのか徐々に出てきたのかを判別することができ、電力用開閉装置の異常の状態を詳細に診断できる。
【００５８】
尚、上述した実施の形態の説明では、磁石１９ａ，１９ｂ，５１を使用して操作ロッド７の歪み量に基づいて開閉操作部の動作を検知する例について説明したが、磁石の具体的な構成は、開閉操作部の位置検出方式に応じて適宜選択可能であり、歪センサ付きＩＣタグ１８に対する位置も任意に設定できる。
【００５９】
また、磁石１９ａ，１９ｂ，５１を用いなくても開閉操作部の位置検出は可能である。例えば、加速度センサ付きＩＣタグを使用すれば、直接に開閉操作部の動作を検知することができる。
【００６０】
一方、歪センサ付きＩＣタグ１８は、必ずしも操作ロッド２に設ける必要はなく、電力用開閉装置の開閉部を操作する動作部分の任意の位置に配置することができる。また、歪センサ付きＩＣタグ１８の具体的な構成は適宜変更可能である。
【００６１】
尚、上述した実施の形態の説明では、センサ付きＩＣタグ１８がバッテリー３７を備えたアクティブタイプの場合を例にしたが、パッシブタイプの充電装置付きのものであっても良い。パッシブタイプの充電装置付きのセンサ付きＩＣタグ１８を採用した場合、定期的に外部から電池の充電用の電磁波を照射することで充電する機能（充電機能）を実現することができる。また、バッテリー３７の代わりに高速充電が可能な蓄電池や、図７に示されるように、例えば、電気２重層コンデンサ等の大容量のコンデンサ５５を備えていても良い。この場合も、定期的に電磁波を照射することで外部から充電できるのでバッテリー３７の場合と同様の作用および効果が得られる。
【００６２】
さらに、上述した実施の形態の説明では、電力用開閉器がパッファ形ガス遮断器の場合について説明したが、本発明は、開閉部を有する電力用開閉装置一般に同様に適用可能である。例えば、変圧器のタップ切替器等の操作用のロッドに取り付けても同様の作用効果が得られるものである。
【００６３】
さらにまた、本発明は、上述した発明の実施の形態で説明した形態に限定されるものではなく、実施段階ではその要旨を逸脱しない範囲で構成要素を変形して具体化できる。
【図面の簡単な説明】
【００６４】
【図１】本発明の第１の実施の形態に係るセンサ付きＩＣタグによる動作監視機能を備えた電力用開閉装置の一例（パッファ形ガス遮断器）の縦断面図。
【図２】本発明の第１の実施の形態に係るセンサ付きＩＣタグによる動作監視機能を備えた電力用開閉装置の動作監視部の構成を拡大して示した概略図。
【図３】本発明に係る電力用開閉装置のセンサ付きＩＣタグおよびこのセンサ付きＩＣタグと無線通信するＩＣタグリーダの構成概略を示した概略図。
【図４】本発明に係る電力用開閉装置のセンサ付きＩＣタグに記憶される情報構成の一例を説明する説明図。
【図５】本発明の第２の実施の形態に係るセンサ付きＩＣタグによる動作監視機能を備えた電力用開閉装置の一例（パッファ形ガス遮断器）の縦断面図。
【図６】本発明の第２の実施の形態に係るセンサ付きＩＣタグによる動作監視機能を備えた電力用開閉装置の一例（パッファ形ガス遮断器）に用いる磁石の縦断面図。
【図７】本発明に係る電力用開閉装置のセンサ付きＩＣタグの他の構成を概略的に示した概略図。
【図８】従来の動作監視装置が取り付けられた電力用開閉装置の一例であるパッファ式遮断器の縦断面図。
【符号の説明】
【００６５】
１Ａ，１Ｂ  歪センサ付きＩＣタグによる動作監視機能を備えた遮断器（センサ付きＩＣタグによる動作監視機能を備えた電力用開閉装置）
２  操作ロッド
３Ａ，３Ｂ  動作監視部
５  密閉ケース
６  固定電極
７  可動電極
８  パッファ機構
９  絶縁ロッド
１１  操作機構
１２  操作ピストン
１３  アキュムレータ
１４  油ポンプ
１５  引外用弁（遮断用弁）
１６  投入用弁
１７  監視ケース
１８  歪センサ付きＩＣタグ（センサ付きＩＣタグ）
１９ａ，１９ｂ  磁石
２０  磁石取付板
２５  ＩＣタグリーダ
３０  通信信号
３１  アンテナ
３２  変復調部
３３  歪センサ
３４  メモリ
３５  時計
３６  電源部
３７  バッテリー
３８  制御部
４０  アンテナ
４１  変復調部
４２  電源部
４３  制御部
４５  上位装置
５１  磁石
５２  磁石取付台
５５  コンデンサ
【図１】
2008104260.tif 000003
【図２】
2008104260.tif 000004
【図３】
2008104260.tif 000005
【図４】
2008104260.tif 000006
【図５】
2008104260.tif 000007
【図６】
2008104260.tif 000008
【図７】
2008104260.tif 000009
【図８】
2008104260.tif 000010